(57)【要約】【課題】配線盤の小型化が図れ、施工及び保守管理が容易に行える配線盤の構造を提供する。【解決手段】  配線盤本体１と、その配線盤本体１の内部に収納される略箱状のＢＳ・Ｕ／Ｖブースターユニット３とを備えた配線盤であって、配線盤本体１に、ＢＳ・Ｕ／Ｖブースターユニット３を支持する長尺の凹溝１ａを有する機能ユニット保持部１ｂが形成されていると共に、ＢＳ・Ｕ／Ｖブースターユニット３の一端の側面にケーブルが接続されるコネクタが設けられ、ＢＳ・Ｕ／Ｖブースターユニット３の他端に、機能ユニット保持部１ｂの凹溝１ａに嵌入される舌片３ｂが設けられている。【選択図】  図１
2005347237.tif 000002
【特許請求の範囲】
【請求項１】
略箱状の配線盤本体と、その配線盤本体の内部に収納される略箱状の機能ユニットとを備えた配線盤であって、前記配線盤本体に、長手方向に電源供給導体を備えた、前記機能ユニットを支持する長尺の凹溝を有する機能ユニット保持部が形成されていると共に、前記機能ユニットの一端の側面にケーブルが接続されるコネクタが設けられ、前記機能ユニットの他端に、前記電源供給導体に接触して前記機能ユニット内に電力を供給するための電力取込導体部が形成された、前記機能ユニット保持部の凹溝に嵌入される嵌合部が設けられていることを特徴とする配線盤。
【請求項２】
前記機能ユニットの、前記機能ユニット保持部の長手方向に面する側面上に、所定高さの突起が突設されていることを特徴とする請求項１記載の配線盤。
【発明の詳細な説明】
【技術分野】
【０００１】
本発明は、住宅内の同軸ケーブル配線やツイストペア配線等に用いられる、配線盤および機能ユニットに関するものである。
【背景技術】
【０００２】
ＴＶアンテナの同軸ケーブルに接続されるブースターや、ＩＳＤＮのＤＳＵを格納する配線盤の一例を図６に基づいて説明する。図６は、配線盤に接続される信号線、及び、それらの信号線を介して接続される機器の構成を示す構成図である。
【０００３】
図６に示すように、ＴＶアンテナ（Ｕ／Ｖアンテナ、ＢＳアンテナ、ＣＳアンテナ）に接続された閉域外同軸ケーブルが、住戸内に設けられた配線盤の内部に引き込まれている。また、配線盤からは、その一端が住戸内に設けられた複数のＴＶコンセントに接続される閉域内同軸ケーブルが引き出されており、各ＴＶコンセントには、ＣＳ端子、Ｕ／Ｖ・ＢＳ端子が設けられ、それらの端子にはＴＶ受像機が接続されている。これにより、各ＴＶアンテナで受信された信号は、閉域外同軸ケーブル、配線盤内のブースタ（後述）及び混合器及び分配器、閉域内同軸ケーブル、各端子を介してＴＶ受像機に伝送される。
【０００４】
また、ＩＳＤＮ回線の信号線（閉域外ペアケーブル）が屋内に引き込まれており配線盤内部に配設されたＤＳＵ（後述）、及び、閉域内ペアケーブルを介して、住戸内に配設された複数のモジュラーコネクタに接続され、モジュラーコネクタにはＩＳＤＮ電話（デジタル電話）またはパーソナルコンピュータが接続されている。
【０００５】
次に、図７に基づいて配線盤の内部構造の一例について説明する。但し、ＴＶアンテナが、Ｕ／Ｖアンテナ及びＢＳアンテナである場合の内部構造を示す。図７に示すように、略箱状の配線盤の側面に形成された開口（図示省略）を通して、配線盤内部には、ＴＶアンテナ（Ｕ／Ｖアンテナ及びＢＳアンテナ）に接続された閉域外同軸ケーブルが引き込まれており、それぞれ、対応する略箱状のＴＶ共聴用ブースタ（Ｕ／Ｖブースタ、ＢＳブースタ）に接続されている。また、各ブースタの出力は混合器に接続され、混合器の出力は分配器に接続され、分配器の各出力は、それぞれ、住戸内のＴＶコンセントに接続されている。
【０００６】
また、屋外から引き込まれたＩＳＤＮの信号線（閉域外ペアケーブル）が、ＤＳＵのＵ点端子に接続され、ＤＳＵのＳ／Ｔ点端子には、ＩＳＤＮ電話等が接続される閉域内ペアケーブルが接続されている。さらに、配線盤内部には、電源コンセントが設けられており、Ｕ／Ｖブースタ、ＢＳブースタ、ＤＳＵの各電源ケーブルがその電源コンセントに接続されている。
【特許文献１】特開平３−４５１０７号公報
【特許文献２】実開昭５４−５０１２３号
【特許文献３】実開昭５２−１０１９８２号
【発明の開示】
【発明が解決しようとする課題】
【０００７】
図７に示すように、従来の配線盤では、配線盤内に収納される、ブースタ等の機器の筐体形状が様々であり、また、各機器の同軸コネクタ等のコネクタに信号線を接続するために必要なスペース（ケーブル引き回しスペース）を大きく確保しなければならないため、配線盤の筐体が大きくなるという問題点があった。また、配線盤内部に機器を追加する場合や、機器を変更しようとする場合、機器の筐体形状によっては、機器が占有するスペース、または、その機器に接続する信号線のケーブル引き回しスペースに制限されて、機器の追加や変更が難しいという問題点があった。
【０００８】
本発明は上記の問題点を解決するためになされたもので、その目的とするところは、配線盤の小型化が図れ、施工及び保守管理が容易に行える配線盤の構造を提供することにある。
【課題を解決するための手段】
【０００９】
請求項１記載の配線盤は、略箱状の配線盤本体と、その配線盤本体の内部に収納される略箱状の機能ユニットとを備えた配線盤であって、配線盤本体に、長手方向に電源供給導体を備えた、機能ユニットを支持する長尺の凹溝を有する機能ユニット保持部が形成されていると共に、機能ユニットの一端の側面にケーブルが接続されるコネクタが設けられ、機能ユニットの他端に、電源供給導体に接触して機能ユニット内に電力を供給するための電力取込導体部が形成された、機能ユニット保持部の凹溝に嵌入される嵌合部が設けられていることを特徴とするものである。
【００１０】
請求項２記載の配線盤は、請求項１記載の配線盤で、機能ユニットの、機能ユニット保持部の長手方向に面する側面上に、所定高さの突起が突設されていることを特徴とするものである。
【発明の効果】
【００１１】
請求項１記載の配線盤によれば、各機能ユニットが、長尺状の凹溝を備えた機能ユニット保持部に沿って横一列に連設することができ、機能ユニットのコネクタに接続されるケーブル類の布設方向を統一することができるので、施工時の配線の引き回しが容易になり、機能ユニットの一端側をネジ止め等で固定するだけで施工が完了するので施工の簡略化が図れる。また、機能ユニットを保持するレールが、電源供給機能を備えているので、各機能ユニットの電源ケーブルが不要となり、省スペース化が図れ、配線盤全体の形状を小型に構成することができ、施工作業も電源ケーブル等の施工作業を簡略化できるので省施工化が図れる。
【００１２】
請求項２記載の配線盤によれば、請求項１記載の発明の効果に加えて、機能ユニットの一端を長尺状の凹溝に挿入して保持させた後、横方向にスライドさせ、機能ユニットの突起を、隣接する機能ユニットに当接させて接触するように配置すれば、例えば、温度上昇の低減のために必要とされる機能ユニットの間隔を保って機能ユニットを配置でき、ユニットの位置決め作業が容易となり、省施工化が図れる。
【発明を実施するための最良の形態】
【００１３】
図１乃至図５に基づいて本発明の配線盤の実施形態について説明する。
【００１４】
（第一の実施形態）
図１（ａ）は、機能ユニットを取り付けた配線盤の構造を示す平面図、図１（ｂ）は上面図、図２は機能ユニットの斜視図、図３は、機能ユニットを配線盤本体に取り付ける方法を示す説明図である。
【００１５】
図１で、配線盤は、上方及び一方の側方に開口を有する略箱状配線盤本体１と、木板２と、配線盤本体の底部に取り付けられた機能ユニット（略箱状のＢＳ・Ｕ／Ｖブースタユニット３、ＣＳ偏波切替ユニット４、ＤＳＵユニット５）とを備えている。
【００１６】
配線盤本体１の底面上には、木板２が取り付けられており、その木板２の一端の表面上には、側面視略Ｌ字状のレール部材が取り付けられ、長尺の凹溝１ａを有する機能ユニット保持部１ｂが形成されている。凹溝１ａは、配線盤本体１の側面に形成された開口（ケーブル挿通口）の方向に開口するように取り付けられている。
【００１７】
凹溝１ａの内部には、略薄板長尺状の２つの電源供給導体７，８が設けられている。電源供給導体７は、凹溝１ａの内部の、木板２の表面に垂直な面上に設けられ、電源供給導体８は、凹溝１ａの内部の、木板２の表面に平行な面上に設けられている。また、電源供給導体７，８の一端に形成されたねじ孔（図示省略）には、電源ケーブルを接続するための電源ケーブル接続ねじが螺合されている。
【００１８】
各機能ユニット３，４，５の一端の側面には、ケーブルが接続されるコネクタが設けられていると共に、各機能ユニット３，４，５の他端には、機能ユニット保持部１ｂの凹溝１ａに嵌入される嵌合部として、各機能ユニット３，４，５の他端の底面から側方に突設された舌片３ｂ，４ｂ，５ｂが設けられている。また、図２に示すように、各舌片（舌片３ｂ）の先端面上には、略薄板状の電源取込導体部９が設けられ、各舌片（舌片３ｂ）の側面（電源供給導体８と対向する面）上には、略薄板状の電源取込導体部１０が設けられており、電源取込導体部９，１０は、機能ユニット３，４，５の内部回路（図示省略）に接続されている。
【００１９】
図２に示す機能ユニット３，４，５を配線盤本体１に取り付けた場合、図３に示すように、電源供給導体７と電源取込導体部９とが接触すると共に、電源供給導体８と電源取込導体部１０とが接触するので、電源供給導体７，８に接続されたＡＣ１００Ｖの電源ケーブルから、各機能ユニット３，４，５に電源を供給することができる。このように構成することにより、各機能ユニット３，４，５の電源ケーブル、及び、電源コンセントが不要となるので、省スペース化が図れ、配線盤を小型に構成することができる。また、各機能ユニット３，４，５の電源ケーブルが不要となるので、省施工化を図ることができる。
【００２０】
（第二の実施形態）
次に、図４及び図５に基づいて本発明の配線盤の異なる実施形態について説明する。図４（ａ）は、機能ユニット３，４，５を取り付けた配線盤の構造を示す平面図、図４（ｂ）は上面図、図５は機能ユニットの斜視図である。但し、図１乃至図３に示した構成と同等構成については同符号を付すこととし詳細な説明を省略することとする。また、図４と図５には、第一実施形態での電源供給導体７，８および電源取込導体部９，１０が形成されてないものを図画したが、本願発明に係る配線盤、および同配線盤に使用する機能ユニット３，４，５は、図４と図５に、さらに第一実施形態での電源供給導体７，８および電源取込導体部９，１０が形成されてあるものである。
【００２１】
図４に示す配線盤は、図１に示した配線盤に対して、機能ユニット３，４，５の、機能ユニット保持部１ｂの長手方向に面する側面上に、所定高さの突起３ｅ，４ｅ，５ｅを設けたことを特徴とするものである。例えば、突起３ｅ，４ｅ，５ｅの高さを１ｃｍとすることによって、温度上昇を低減するための気流の流れを確保することができる。このように構成することにより、機能ユニット３，４，５を連接する場合、突起３ｅ，４ｅ，５ｅを、隣接する機能ユニット３，４，５に当接させて取り付けることによって、必要な間隔を確保して機能ユニット３，４，５を配置することができる。
【図面の簡単な説明】
【００２２】
【図１】本発明の配線盤を示す図で、（ａ）は、機能ユニットを取り付けた配線盤の構造を示す平面図、（ｂ）は上面図である。
【図２】機能ユニットの斜視図である。
【図３】本発明の配線盤の機能ユニットを配線盤本体に取り付ける方法を示す説明図である。
【図４】本発明の配線盤を示す図で、（ａ）は、機能ユニットを取り付けた配線盤の構造を示す平面図、（ｂ）は上面図である。
【図５】機能ユニットの斜視図である。
【図６】従来の配線盤に接続される信号線、及び、それらの信号線を介して接続される機器の構成を示す構成図である。
【図７】従来の配線盤の内部構造の一例を示す平面図である。
【符号の説明】
【００２３】
１                配線盤本体
１ａ              凹溝
１ｂ              機能ユニット保持部
３                ＢＳ・Ｕ／Ｖブースタユニット（機能ユニット）
３ｂ，４ｂ，５ｂ  舌片（嵌合部）
３ｅ，４ｅ，５ｅ  突起
４                ＣＳ偏波切替ユニット（機能ユニット）
５                ＤＳＵユニット（機能ユニット）
７，８            電源供給導体
９，１０          電力取込導体部
【図１】
2005347237.tif 000003
【図２】
2005347237.tif 000004
【図３】
2005347237.tif 000005
【図４】
2005347237.tif 000006
【図５】
2005347237.tif 000007
【図６】
2005347237.tif 000008
【図７】
2005347237.tif 000009